(57)【特許請求の範囲】
【請求項１】
生ごみ処理装置であって、
回転軸を有するモータと、
下部側に前記モータが設けられ、下部側から前記回転軸が貫通され、生ごみを投入するための投入孔が形成された上面および、生ごみから脱水された水を排出するための排水孔および脱水された生ごみを排出するための排出部が形成された下面を有するハウジングと、
互いに分離可能なドラム上部およびドラム下部を含み、前記ハウジング内にて前記回転軸を中心に回転可能に設けられ、かつ前記投入孔に連通するドラムとを含み、
前記ドラム上部およびドラム下部の少なくとも一方が昇降可能に設けられており、前記両ドラム部が互いに接合または離間することにより前記ドラムの密閉状態または開放状態を形成し、
前記密閉状態においては、回転によって、前記投入孔を介して投入され、前記ドラム内に収容された生ごみを脱水し、
前記開放状態においては、遠心力によって、脱水された生ごみを前記ハウジングの内部に吐出し、前記ハウジングの内部に吐出された生ごみを前記排出部を介して排出するように構成し、
前記生ごみ処理装置が、
前記ハウジング内に位置する前記回転軸の外周面の周りに設けられたカムであって、前記カムが前記回転軸に対して相対回転することによって生ずる前記カムと前記回転軸との作用により前記回転軸に沿って昇降可能に設けられた、該カムをさらに有し、
前記回転軸を停止状態から回転させたときに、慣性により前記カムが前記回転軸に対して相対回転することによって生ずる前記カムと前記回転軸との作用により、前記カムが上昇または下降し、それによって前記ドラム下部および前記ドラム上部のうちの予め選択された一方を上昇または下降させて前記ドラム上部と前記ドラム下部とを接合させた後に、前記カムが前記回転軸に対する相対回転を止めて、前記ドラム下部および前記ドラム上部のうちの予め選択された一方を、前記回転軸とともに一体的に回転させ、
その後、前記回転軸の回転速度を低下させたときに、前記回転軸の回転速度と慣性により回転する前記カムの回転速度との差により前記カムが前記回転軸に対して相対回転することによって生ずる前記カムと前記回転軸との作用により前記カムが下降または上昇し、それによって前記ドラム下部および前記ドラム上部のうちの予め選択された一方を下降または上昇させて前記ドラム上部と前記ドラム下部とを離間させるように構成したことを特徴とする生ごみ処理装置。
【請求項２】
請求項１に記載の生ごみ処理装置であって、
前記ドラム上部が、逆漏斗状に形成され、生ごみから脱水された水を排出するための脱水孔を有し、
前記ドラム下部が、漏斗状に形成され、生ごみから脱水された水を排出するための別の脱水孔を有し、
前記開放状態においては、生ごみが、前記ドラム上部の傾斜面および前記ドラム下部の傾斜面に沿って移動し、最大の遠心力が作用する前記ドラム上部の周縁部と前記ドラム下部の周縁部との間から吐出されるように構成したことを特徴とする生ごみ処理装置。
【請求項３】
請求項１に記載の生ごみ処理装置であって、
前記ドラム下部の内部に該ドラム下部に対して独立して回転可能に設けられた、前記ドラム下部の回転による慣性によって回転し、前記ドラム上部およびドラム下部に付着した生ごみを掻き落とす内部ブレードをさらに有することを特徴とする生ごみ処理装置。
【請求項４】
請求項１に記載の生ごみ処理装置であって、
水平に形成された水平路と、前記水平路に対して鈍角をなして形成されその下端が前記水平路の一端に接続された傾斜路とを有する案内路が、前記カムの円周方向に沿って形成されており、
前記回転軸が、前記案内路に突入して前記カムを支持する支持突起を有することを特徴とする生ごみ処理装置。
【請求項５】
請求項４に記載の生ごみ処理装置であって、
前記ドラム上部の上部側が、前記ハウジングに回転可能に支持され、かつ前記投入孔に連通されており、
前記ドラム下部の下部側が前記カムに結合されており、
前記カムが上昇したときは、前記ドラム下部が上昇して前記ドラム下部の上部側が前記ドラム上部の下部側に対して摩擦接合し、前記両ドラム部が一体的に回転することによって生ごみを脱水し、
前記カムが下降したときは、前記ドラム下部が下降して前記ドラム下部の上部が前記ドラム上部の下部から離間し、遠心力によって、脱水された生ごみを前記ドラム上部と前記ドラム下部との間から前記ハウジングの内部に吐出し、前記ハウジングの内部に吐出された生ごみを前記排出部から排出するように構成したことを特徴とする生ごみ処理装置。
【請求項６】
請求項５に記載の生ごみ処理装置であって、
前記ドラム上部は、該ドラム上部と一体的に回転に回転することにより、前記ドラム上部と前記ドラム下部との間から前記ハウジング内部へ吐出された生ごみが前記ハウジングの内面に付着することを防止する複数の外部ブレードを有し、
前記排出部は、前記排出部を開閉する開閉板を有し、かつ
前記ドラム下部はその下面に、該ドラム下部と一体的に回転し、前記ハウジングの内部に吐出された生ごみを前記排出部へ移動させる排出ブレードと、前記ドラム下部が下降したときに前記ハウジングと当接し、前記ハウジングの内部に吐出された生ごみが前記排水孔へ移動するのを防止する遮断手段とを有することを特徴とする生ごみ処理装置。
【請求項７】
請求項４に記載の生ごみ処理装置であって、
前記案内路および前記支持突起は互いに一対一で対応するように形成されており、
前記カムは、前記ドラム下部に結合され、かつ前記回転軸が貫通するべく中央に形成された貫通孔を有する結合片と、前記貫通孔の内周面から下側に延設され、前記回転軸が貫通し、かつ前記案内路が設けられた管状の本体部とを有し、
前記ドラム下部はその下面に、前記結合片が挿入配置される空間を画定するべく互いに所定の間隔を隔てて形成されたリング状の内側支持枠および外側支持枠を有することを特徴とする生ごみ処理装置。
【請求項８】
請求項１に記載の生ごみ処理装置であって、
前記ハウジングが、互いに結合されたハウジング上部およびハウジング下部を含み、
前記ハウジング上部の前記上面に、下側に陥没した陥没部が形成されており、
前記陥没部が、前記回転軸が貫通するべく下側へ延設された支持管と、前記支持管を取り囲むように設けられ、前記ドラム上部の内周面に回転可能に当接するリング状の結合枠とを有し、
前記投入孔が、前記陥没部における前記支持管と前記結合枠との間に形成されていることを特徴とする生ごみ処理装置。
【請求項９】
請求項１に記載の生ごみ処理装置であって、
前記ハウジング内にて前記投入孔の近傍に設けられ、かつ前記投入孔に連通する、前記モータの前記回転軸の回転により回転し、生ごみを破砕する破砕ユニットをさらに含むことを特徴とする生ごみ処理装置。
【発明の詳細な説明】
【技術分野】
【０００１】
本発明は、生ごみ処理装置に関する。
【背景技術】
【０００２】
生ごみは、生ごみ処理に関する法律により、浸出水が発生しないように水分のない状態で排出しなければならない。
【０００３】
このために、多様な形態の生ごみ処理装置が開発されて用いられている。
【０００４】
従来の生ごみ処理装置は、生ごみを脱水する手段、生ごみをドラムの外部に吐出する手段、そして、吐出された生ごみを生ごみ処理装置の外部に排出する手段がそれぞれ別途に設けられるため、コストが上昇する。
【０００５】
そして、生ごみの破砕、脱水、吐出および排出が、モータまたはスクリュなどのような別の駆動手段によってそれぞれ行われるため、さらにコストが上昇する。
【０００６】
そして、生ごみの脱水が不完全で、脱水された生ごみが完全に吐出および排出されない場合が多いため、非衛生的である。
【発明の概要】
【発明が解決しようとする課題】
【０００７】
本発明は、上記の従来技術の問題を解消するためになされたものであって、本発明の目的は、コストを低減することができる生ごみ処理装置を提供することにある。
【０００８】
本発明の他の目的は、生ごみを完全脱水→完全吐出→完全排出することができる衛生的な生ごみ処理装置を提供することにある。
【課題を解決するための手段】
【０００９】
上記の目的を達成するための、本発明にかかる生ごみ処理装置は、回転軸を有するモータと、前記モータに下部側が設けられ、前記回転軸が貫通し、上面には生ごみが投入される投入孔が形成され、下面側には生ごみから脱水された水が排水される排水孔および生ごみが排出される排出部が形成されたハウジングと、少なくとも１つは昇降可能に設けられ、相互接触または分離されながら相互密閉または離隔開放され、前記回転軸を中心に回転可能に前記ハウジングの内部に設けられ、前記投入孔と連通し、前記投入孔を介して投入された生ごみを収容して相互密閉されて回転しながら生ごみを脱水し、相互離隔開放されて回転しながら脱水された生ごみを遠心力によって前記ハウジングの内部に吐出し、前記ハウジングの内部に吐出された生ごみを前記排出部を介して排出させるドラム上部およびドラム下部を有するドラムとを含む。
【発明の効果】
【００１０】
本発明にかかる生ごみ処理装置は、回転するドラムの内部で生ごみが脱水されてハウジングの内部に吐出され、ドラムの回転によってハウジング内部の生ごみがハウジングの外部に排出される。すなわち、１つの部品によって生ごみが脱水→吐出→排出されるため、コストが低減される。
【００１１】
そして、１つのモータによって生ごみの破砕、脱水、吐出および排出が行われるため、さらにコストが低減される。
【００１２】
そして、相対的に簡単な構造のカムと回転軸、そして、慣性によってドラムのドラム下部が昇降しながらドラム上部に密閉または離隔し、生ごみを脱水、吐出および排出するため、さらにコストが低減される。
【００１３】
そして、遠心力によって生ごみが脱水および吐出され、ドラムに設けられた排出ブレードによってハウジング内部の生ごみがハウジングの外部に排出される。すなわち、生ごみが完全脱水、完全吐出および完全排出されるため、極めて衛生的である。
【図面の簡単な説明】
【００１４】
【図１】本発明の一実施形態にかかる生ごみ処理装置の斜視図である。
【図２】図１に示すモータを除いた「Ａ−Ａ」線切開断面斜視図である。
【図３】図２に示すカムにモータの回転軸が結合された状態を示す斜視図である。
【図４】図３に示すカムの拡大斜視図である。
【図５】図４の「Ｂ−Ｂ」線断面図である。
【図６】本発明の一実施形態にかかるカムおよびドラム下部の動作を示す一部断面要部正面図である。
【図７】本発明の一実施形態にかかるカムおよびドラム下部の動作を示す一部断面要部正面図である。
【図８】本発明の一実施形態にかかるカムおよびドラム下部の動作を示す一部断面要部正面図である。
【図９】図２に示すカムおよびドラム下部が下降した状態を示す図である。
【発明を実施するための形態】
【００１５】
以下、添付した図面を参照して、本発明の一実施形態にかかる生ごみ処理装置を詳細に説明する。
【００１６】
図１は、本発明の一実施形態にかかる生ごみ処理装置の斜視図であり、図２は、図１に示すモータを除いた「Ａ−Ａ」線切開断面斜視図である。
【００１７】
図示のように、本実施形態にかかる生ごみ処理装置は、互いに結合されたハウジング上部１１１およびハウジング下部１１５を有するハウジング１１０を含む。
【００１８】
以下、ハウジング１１０を含む他の構成要素の面および方向を指し示すにあたり、ハウジング１１０の上面であるハウジング上部１１１の上面側に向かう面および方向を「上面および上側」、ハウジング１１０の下面であるハウジング下部１１５の下面側に向かう面および方向を「下面および下側」という。
【００１９】
ハウジング１１０の上部を形成するハウジング上部１１１の上面中央部には、下側に陥没した陥没部１１２が形成されており、ハウジング上部１１１の下面は開放されている。ハウジング１１０の下部を形成するハウジング下部１１５の下面には回転軸１２２を有するモータ１２０の上面が結合されており、ハウジング下部１１５の上面は開放されている。ハウジング上部１１１の下端面とハウジング下部１１５の上端面とが互いに結合されており、生ごみ処理装置の外観を形成している。
【００２０】
回転軸１２２の上端部は、ハウジング下部１１５の下面を貫通し、ハウジング上部１１１の陥没部１１２まで延在している。
【００２１】
陥没部１１２には投入管１３１の下部が挿入固定されており、投入管１３１の上部は流し台（図示せず）などに結合固定されている。投入管１３１の下端部には、生ごみを破砕する刃１３５ａなどを有する破砕ユニット１３５が設けられている。破砕ユニット１３５は、回転軸１２２の上端部に結合されており、回転軸１２２の回転によって回転する。
【００２２】
生ごみは、投入管１３１の上部から投入され、破砕ユニット１３５によって破砕された後、ハウジング上部１１１の上面に形成された投入孔１１２ａを介して、後述するドラム１４０の内部に投入される。破砕ユニット１３５には、破砕された生ごみをハウジング上部１１１の投入孔１１２ａへ送達するための複数の連通孔１３５ｂが形成されている。
【００２３】
投入孔１１２ａの形成位置およびドラム１４０については後述する。
【００２４】
陥没部１１２が形成されているハウジング上部１１１の上面中央部には、回転軸１２２が貫通される支持管１１３ａが、下向きに延設されており、支持管１１３ａの外側のハウジング上部１１１の上面には、リング状の結合枠１１３ｂが、支持管１１３ａを取り囲むように形成されている。結合枠１１３ｂは、陥没部１１２を形成するハウジング上部１１１の上面から下向きに延設されており、結合枠１１３ｂと支持管１１３ａとの間に投入孔１１２ａが形成されている。
【００２５】
結合枠１１３ｂの外周面は、ドラム１４０のドラム上部１４１の内周面に、回転可能に支持されている。ドラム上部１４１の回転を円滑にするために、ドラム上部１４１の内周面と結合枠１１３ｂの外周面との間にベアリング１６１が介設されている。また、支持管１１３ａの上部には、回転軸１２２を円滑に回転可能に支持するためのベアリング１６３が設置されている。
【００２６】
ハウジング１１０の内部には、ドラム上部１４１およびドラム下部１４５からなるドラム１４０が設けられている。ドラム１４０は、投入孔１１２ａに連通しており、投入孔１１２ａから投入された生ごみを収容する。
【００２７】
ドラム上部１４１およびドラム下部１４５は互いに分離可能であり、回転軸１２２を中心にして回転可能に設けられている。ドラム上部１４１およびドラム下部１４５の少なくとも一方は昇降可能に設けられており、互いに接合または離間することによって、ドラムを密閉状態または解放状態にすることができる。ドラム密閉状態においては、ドラム上部１４１およびドラム下部１４５が回転することによって、投入孔１１２ａからドラム内に投入された生ごみを脱水する。ドラムの解放状態においては、回転するドラム上部１４１およびドラム下部１４５の遠心力によって、脱水された生ごみをハウジング１１０の内部へ吐出する。
【００２８】
本実施形態にかかる生ごみ処理装置は、ドラム下部１４５が昇降する。
【００２９】
詳細に説明すると、ドラム上部１４１は略逆漏斗状に形成されており、ドラム上部１４１の内周面がハウジング上部１１１の結合枠１１３ｂの外周面に回転可能に支持されている。ドラム上部１４１の内周面に結合枠１１３ｂが支持されているため、結合枠１１３ｂの内側に形成された投入孔１１２ａもドラム上部１４１の内周面の内側に位置することとなる。したがって、投入孔１１２ａはドラム上部１４１の内部と連通するため、生ごみを投入孔１１２ａからドラム１４０の内部に投入することができる。
【００３０】
ドラム下部１４５は、略漏斗状に形成されており、回転軸１２２を中心にして回転可能に設けられている。ドラム下部１４５は、後述するカム１５０によって、回転軸１２２に沿って昇降し、カム１５０とともに回転することができる。
【００３１】
カム１５０が上昇するとドラム下部１４５も上昇し、ドラム下部１４５の上端面がドラム上部１４１の下端面と接合する。カム１５０が下降するとドラム下部１４５も下降し、ドラム下部１４５の上端面がドラム上部１４１の下端面から離間する。
【００３２】
ドラム上部１４１およびドラム下部１４５の内部に投入された生ごみを脱水するときは、ドラム上部１４１とドラム下部１４５とを互いに接合させ、ドラムを密閉状態にする。ドラム上部１４１およびドラム下部１４５の内部に投入された生ごみをハウジング１１０の内部に吐出するときは、ドラム上部１４１とドラム下部１４５とを互いに離間させ、ドラムを開放状態にする。
【００３３】
ドラム下部１４５はカム１５０と一体的に回転し、ドラム上部１４１はドラム下部１４５と接合し摩擦係合したときにドラム下部１４５の回転によって回転する。ドラム上部１４１およびドラム下部１４５の回転により生じる遠心力によって生ごみを脱水した後、脱水された生ごみを吐出する。ドラム上部１４１およびドラム下部１４５の回転によって生ごみから脱水された水は、ドラム上部１４１に形成された脱水孔（図示せず）およびドラム下部１４５に形成された脱水孔１４５ｃを介してドラム１４０の外部に排出される。ドラム１４０の外部に排出された水は、ハウジング１１０の下面に形成された排水孔１１８を介してハウジング１１０の外部に排水される。
【００３４】
ドラム１４０の内部の生ごみは、ドラム１４０の回転により生じる遠心力によって、ドラム上部１４１の傾斜面およびドラム下部１４５の傾斜面に沿って移動し、ドラム上部１４１とドラム下部１４５との間からハウジング１１０の内部に吐出される。すなわち、生ごみは、最大の遠心力が作用するドラム上部１４１の周縁部とドラム下部１４５の周縁部との間に生じた隙間を通って吐出される。
【００３５】
ドラム下部１４５の内部には、回転軸１２２に支持されたベアリング１６５が設けられており、ベアリング１６５には複数の内部ブレード１４６が設けられている。内部ブレード１４６は、ドラム下部１４５に対して独立的に回転可能に設けられている。すなわち、内部ブレード１４６は、ドラム下部１４５の回転によって回転するのではなく、ドラム下部１４５の回転による慣性によって回転する。
【００３６】
内部ブレード１４６は、ドラム下部１４５の傾斜面に対して当接する。また、内部ブレード１４６の上端部は、ドラム下部１４５とドラム上部１４１との境界部分で上側に曲げられており、ドラム上部１４１の傾斜面と当接する。このことにより、ドラム上部１４１およびドラム下部１４５の各傾斜面に付着した生ごみは、内部ブレード１４６によって掻き落とされた後、遠心力によってドラム１４０の外部に吐出される。したがって、ドラム１４０内部の生ごみは、ハウジング１１０の外部に完全に吐出される。
【００３７】
ドラム上部１４１の傾斜面には、ハウジング１１０の上部の内面に対して略当接する複数の外部ブレード１４２が形成されている。外部ブレード１４２は、ドラム上部１４１と一体的に回転することによって、ドラム上部１４１とドラム下部１４５との間から吐出された生ごみがハウジング１１０の上部の内面に付着することを防止する。
【００３８】
ハウジング１１０の内部に吐出された生ごみは、ハウジング下部１１５に形成された排出部１１６を介してハウジング１１０の外部に排出される。排出部１１６は、排水孔１１８よりも上側に位置している。排出部１１６には、排出部１１６を開閉する開閉板１１７が設けられている。
【００３９】
排出部１１６を開閉する開閉板１１７は、回転型または引き戸型または開き戸型などの様々な形態で設けることができる。生ごみは、開放された排出部１１６を介して、ハウジング１１０の外部へ排出される。
【００４０】
ドラム下部１４５の下面には排出ブレード１４７が設けられている。排出ブレード１４７は、ドラム下部１４５と一体的に回転することによって、ハウジング１１０の内部に吐出された生ごみを掃いて排出部１１６へ移動させる。
【００４１】
ドラム下部１４５の下面には、ドラム１４０からハウジング１１０の内部に吐出された生ごみがハウジング１１０の排水孔１１８へ移動するのを防止するための遮断手段１４８が設けられている。遮断手段１４８は、リング状の枠または複数の突起で形成されており、ドラム下部１４５が下降したときにハウジング１１０の下面と当接して、生ごみが排水孔１１８へ移動するのを防止する。
【００４２】
すなわち、遮断手段１４８は、ドラム下部１４５と一体的に回転することによって、円形のフェンスを形成し、ハウジング１１０の内部に吐出された生ごみが排出ブレード１４７の回転経路から外れるのを防止する。
【００４３】
回転軸１２２におけるハウジング下部１１５とドラム下部１４５との間に位置する部分の外周面の周りに、カム１５０が回転軸１２２に沿って昇降可能にかつ回転軸１２２に対して回転可能に設けられている。カム１５０は、回転軸１２２の回転によって回転する。カム１５０は、回転軸１２２を回転させたときは、回転軸１２２との作用および慣性によって上昇し、回転軸１２２の回転が停止したときは、回転軸１２２の回転速度と慣性により回転するカム１５０の回転速度との差或いは回転軸１２２との作用によって下降する。
【００４４】
カム１５０について、図２〜図５を参照して説明する。図３は、図２に示すカムにモータの回転軸が結合された状態を示す斜視図であり、図４は、図３に示すカムの拡大斜視図であり、図５は、図４の「Ｂ−Ｂ」線断面図である。
【００４５】
図示のように、回転軸１２２の下部の外周面には支持突起１２４が形成されている。支持突起１２４は、回転軸１２２の外周面における同じ高さの位置に、回転軸１２２の円周方向に沿って等間隔で２つ以上設けられている。
【００４６】
カム１５０は、中央に貫通孔１５２が形成された結合片１５１と、貫通孔１５２の内周面から下側に延設され、回転軸１２２が貫通する管状の本体部１５５と、本体部１５５の下部の内周面に形成された、本体部１５５の剛性を補強するための複数の補強突起１５８とを有している。
【００４７】
結合片１５１は、ドラム下部１４５の下面に結合される。結合片１５１とドラム下部１４５とを強固に結合するために、ドラム下部１４５の下面に、リング状の内側支持枠１４５ａおよび外側支持枠１４５ｂが形成されている。外側支持枠１４５ｂは、内側支持枠１４５ａを取り囲むように内側支持枠１４５ａの外側に配置されている。内側支持枠１４５ａおよび外側支持枠１４５ｂは所定間隔を隔てて互いに対向配置されている。結合片１５１は、内側支持枠１４５ａと外側支持枠１４５ｂとの間に挿入配置され、締結ねじなどによってドラム下部１４５に結合される。したがって、ドラム下部１４５は、カム１５０と一体的に昇降および回転することができる。
【００４８】
本体部１５５は回転軸１２２を中心にして回転可能に設けられており、外周面にはカムを支持するべく支持突起１２４が突入される案内路１５６が形成されている。案内路１５６は、水平路１５６ａおよび傾斜路１５６ｂを有している。
【００４９】
水平路１５６ａは、本体部１５５の円周方向に沿って、本体部１５５の下部の外周面に水平に形成されている。傾斜路１５６ｂは水平路１５６ａに対して鈍角をなして形成されており、水平路１５６ａの下端は水平路１５６ａの右端に接続している。案内路１５６の数は、支持突起１２４の数に応じて決定される。
【００５０】
カム１５０の動作を、図６〜図８を参照して説明する。図６〜図８は、本発明の一実施形態にかかるカムおよびドラム下部の動作を示す一部断面要部正面図である。
【００５１】
図６に示すように、回転軸１２２が停止し、ドラム下部１４５が自重によって下降し、ドラム上部１４１に対して離間した状態を最初の状態とする。この最初の状態のときは、カム１５０を支持する支持突起１２４は、案内路１５６の傾斜路１５６ｂの上端に位置している。このとき、カムは下降しており、ドラム上部１４１とドラム下部１４５とが互いに離間してドラムが開放されている。
【００５２】
図６に示す最初の状態で、モータ１２０（図３参照）を駆動して回転軸１２２を回転させると、図７に示すように、支持突起１２４が案内路１５６の傾斜路１５６ｂの中間部分へ移動する。これにより、カム１５０は図７に示す実線矢印の方向へ上昇し、カム１５０と一体的にドラム下部１４５も上昇する。
【００５３】
図７に示す状態で回転軸１２２をさらに回転させると、図８に示すように、支持突起１２４は、傾斜路１５６ｂに沿って下側へ移動する。支持突起１２４が傾斜路１５６ｂと水平路１５６ａとの境界部分に移動するまでの間、カム１５０は上昇し、カム１５０と一体的に上昇したドラム下部１４５はドラム上部１４１と接合する。
【００５４】
その後、支持突起１２４が水平路１５６ａの左端に到達すると、支持突起１２４から伝達される回転軸１２２の回転力によってカム１５０が回転する。そして、カム１５０の回転によってドラム下部１４５が回転し、ドラム下部１４５の回転によって、ドラム下部１４５と摩擦係合されたドラム上部１４１が回転する。
【００５５】
その後、モータ１２０を停止して回転軸１２２の回転速度が次第に減少するようにするか、或いは回転軸１１２の回転速度を遅くすると、ドラム１４０およびカム１５０は慣性によって回転軸１２２よりも速い速度で回転するため、カム１５０の回転速度と回転軸１２２の回転速度との差により、図７に示すように、支持突起１２４がカム１５０の水平路１５６ａの右端を通って傾斜路１５６ｂへ移動し、これにより、カム１５０は図７に示す点線矢印の方向へ下降する。
【００５６】
時間がさらに経過すると、図６に示すように、支持突起１２４が傾斜路１５６ｂの上端へ移動し、カム１５０およびドラム下部１４５は完全に下降する。
【００５７】
本実施形態にかかる生ごみ処理装置の作用を、図２、図３および図９を参照して説明する。本実施形態にかかる生ごみ処理装置は、カム１５０と回転軸１２２の支持突起１２４との作用および慣性によってドラム下部１４５が昇降し、生ごみを脱水、吐出および排出する。
【００５８】
投入管１３１に生ごみを投入した後、モータ１２０を駆動して回転軸１２２を回転させると、前述したカム１５０と回転軸１２２との作用あるいは慣性によってカム１５０が上昇し、カム１５０の上昇によりドラム下部１４５も上昇する。ドラム下部１４５が完全に上昇すると、図２に示すように、ドラム下部１４５がドラム上部１４１に対して接合し、ドラム下部１４５およびドラム上部１４１が互いに密閉される。
【００５９】
カム１５０およびドラム下部１４５は、完全に上昇した後、回転軸１２２の回転によって回転する。カム１５０およびドラム下部１４５が回転する前、破砕ユニット１３５が回転軸１２２によって回転し、生ごみを破砕する。カム１５０およびドラム下部１４５の回転時期と破砕ユニット１３５の回転時期とは微細な時間差を有する。
【００６０】
破砕ユニット１３５によって破砕された生ごみは、連通孔１３５ｂおよび投入孔１１２ａを介して、ドラム１４０の内部に投入される。ドラム１４０の内部に投入された生ごみは、まず、ドラム１４０の回転によって脱水される。脱水された水は、ドラム上部１４１の脱水孔（図示せず）およびドラム下部１４５の脱水孔１４５ｃを介してドラム１４０の外部に吐出された後、ハウジング１１０の排水孔１１８を介してハウジング１１０の外部に排水される。
【００６１】
生ごみが完全に脱水された後、回転軸１２２の回転速度を遅くするか、或いはモータ１２０を停止して回転軸１２２の回転速度が次第に減少するようにすると、ドラム１４０とカム１５０は、慣性によって回転軸１２２よりも速い回転速度で回転することとなる。
【００６２】
すると、慣性および前述したカム１５０と回転軸１２２の作用によってカム１５０が下降し、カム１５０の下降によりドラム下部１４５も下降する。ドラム下部１４５が下降すると、図９に示すように、ドラム下部１４５がドラム上部１４１に対して離間し、ドラム下部１４５とドラム上部１４１との間に間隔が生じる。この間隔から、脱水された生ごみが、回転するドラム１４０の遠心力によってハウジング１１０の内部に吐出される。
【００６３】
生ごみはハウジング１１０の内部の下側に吐出される。このとき、外部ブレード１４２によって、生ごみがハウジング１１０の上部の内面に付着することが防止される。ドラム上部１４１およびドラム下部１４５の内部の傾斜面に付着した生ごみは、ドラム下部１４５に対して独立的に回転する内部ブレード１４６によって掻き落とされた後、遠心力によってハウジング１１０の内部に吐出される。
【００６４】
ドラム下部１４５の下面に形成された遮断手段１４８は、ハウジング下部１１５と当接することによって、生ごみが排水孔１１８へ移動するのを防止する。ハウジング下部１１５に形成された開閉板１１７は、排出部１１６を開閉する。ハウジング１１０の内部に吐出された生ごみは、ドラム下部１４５の下面に結合されドラム下部１４５と一体的に回転する排出ブレード１４７によって掃かれて排出部１１６に移動させられ、開放された排出部１１６からハウジング１１０の外部へ排出される。
【００６５】
生ごみをドラム１４０の外部への吐出、およびハウジング１１０の外部への排出を行うときは、回転軸１２２の回転速度を減速した後加速させ、その後再び減速させるという動作を繰り返せばよい。
【００６６】
本実施形態にかかる生ごみ処理装置は、回転するドラム上部１４１およびドラム下部１４５の内部で生ごみが遠心力によって脱水された後吐出され、ドラム下部１４５の回転によってハウジング１１０の外部に排出される。すなわち、１つの部品によって生ごみが脱水、吐出および排出されるため、コストが低減される。
【００６７】
そして、１つのモータ１２０によって生ごみの破砕、脱水、吐出および排出が行われるため、さらにコストが低減される。
【００６８】
相対的に簡単な構造のカム１５０と回転軸１２２の構造、そして、慣性によってドラム下部１４５が昇降するため、さらにコストが低減される。
【００６９】
そして、遠心力によって生ごみが脱水および吐出され、ドラム１４０に設けられた排出ブレード１４７によってハウジング１１０内部の生ごみがハウジング１１０の外部に排出される。すなわち、生ごみが完全脱水、完全吐出および完全排出されるため、極めて衛生的である。
【００７０】
以上では、本発明の実施形態により本発明を説明したが、本発明の属する技術分野における通常の知識を有する者が本発明の技術的思想を逸脱しない範囲内で変更および変形したものも、本発明に属することは当然である。
【符号の説明】
【００７１】
１１０：ハウジング
１１１：ハウジング上部
１１５：ハウジング下部
１２２：回転軸
１２４：支持突起
１４０：ドラム
１４１：ドラム上部
１４５：ドラム下部
１５０：カム
１５６：案内路
１５６ａ：水平路
１５６ｂ：傾斜路
【図１】
0005502196.tif 000002
【図２】
0005502196.tif 000003
【図３】
0005502196.tif 000004
【図４】
0005502196.tif 000005
【図５】
0005502196.tif 000006
【図６】
0005502196.tif 000007
【図７】
0005502196.tif 000008
【図８】
0005502196.tif 000009
【図９】
0005502196.tif 000010